(57)【要約】【課題】閉鎖性水域の水質浄化に、小水生物による自然浄化を活性化させるため、紐状接触材を使用する方法が、維持費の掛からない方法として認められている。しかし、そのためには多量の紐状接触材を設置する必要があることから、取付枠・架台等の大掛かりな工事が必要となり、大きな工事費用が掛かることになる。【解決手段】紐状接触材（４）に樹脂製袋状ネット（２）に砂利（３）を詰めたアンカーと、他の端に樹脂製袋状ネット（２）に浮体（１）を詰めたフロートを繋いだ接触材を使用したことにより、容易に且つ廉価に接触材装置の工事を行えるようにしたものである。本接触材装置は、製作が簡易であり且つ必要数量を水中に投入することで工事は完了するため、工事費の低廉化が可能となる。また、砂利（３）・浮体（１）・樹脂製袋状ネット（２）は全てが接触材としての高い機能も持つ物を使用することができるため、本装置は高い浄化能力を持つ浄化装置とすることが出来る。【特許請求の範囲】
【請求項１】
接触材装置が全て水面（８）より露出しないよう、水深より短い紐状接触材（４、６）の片方の端に、砂利（３）を入れた樹脂製袋状ネット（２）を結束材（５）にて取り付け、反対側の端に発砲樹脂製の浮体（１）を入れた樹脂製袋状ネット（２）を同様に取付けたものを接触材装置として使用することを特徴とした水底固定型接触材装置。
【発明の詳細な説明】
【０００１】
【発明の属する技術分野】
小水生物は水中の汚濁有機物（溶融物或いは、植物性プランクトン）を捕食し分解することで生物活動のエネルギーを摂取しているため、小水生物が生物活動を行うことにより、有機汚濁物は分解され水域の水が浄化される。
また、その生物活動の結果により増殖した小水生物自身も、後に有機汚濁物として捕食分解される。
最終的に水中の有機汚濁物はほとんどが二酸化炭索と水に分解される。
以上のように水域の自然浄化は小水生物に負う所が大きいが、近年護岸整備された湖沼・河川においては、小水生物が定着する場所が少なくなり、そのため自然浄化能が低下し、水質が悪化している。
本発明は、人工的にその小水生物が定着する場所を設けることで、小水生物を増やし自然の浄化能力を回復させることを目的とした装置である。
小水生物は水中の固体の表面に付着するため、小水生物を増やすには表面積が大きい固体を設置することが必要となる。
さらに、その小水生物は水中から酸素を摂取するため、水に十分接触させる必要もある。
一般に湖沼等の水域では風により水流は水平に生じることは多いが、垂直に生じることはほとんど無い。
よって芯体（４）の周りに多数のループ糸（６）が付いていて大きな表面積を有している紐状接触材は、このような状況の中で垂直に取付けられたとき、最も優れた接触材とし働く。
本発明は、紐状接触材を浄化対象水域の水中に垂直に多数設置する装置として、最も効率的且つ経済的な方式に関するものである。
【０００２】
【従来の技術】
従来の方式で紐状接触材装置を水底に固定する場合、まず工場で接触材固定用の枠を製作し、その中に多数の紐状接触材を組み込み、それを現場へ運送し、設置場所の近くの地上で組立た後、設置場所へ運搬移送し、水中に沈め固定する大掛かりな工事を行っている（例えば、特開平０９−１４１２８０号公報参照）。或いは接触材をフロートに接続し、水面から吊下げる方式の場合も、ほぼ同様の工事を行っている（例、特開平１１−２２１５９１号公報参照）。
【０００３】
【発明が解決しようとする課題】
紐状接触材設備を水底に固定する場合は、以下のような多大な工事が必要となる。
（Ａ）紐状接触材を固定する枠を鋼材或いは樹脂構造材で製作し、その中に多数の紐状接触材を組付け接触材装置を完成させる。
（Ｂ）水中に接触材装置を固定するための水中基礎を作る。
（Ｃ）接触材装置が大型であるため、大掛かりな運送、運搬、設置作業。（Ｄ）設置作業等が大掛かりとなるため、必要となるクレーン車及び据付用作業船など、さらにそれらの移送と設置作業。
（Ｅ）据付が水中作業となるため、潜水夫等の危険作業。
他のフロートに接触材を吊下げる方式の場合も以下の工事が必要となる。
（Ａ）紐状接触材を固定する枠を鋼材或いは樹脂構造材で製作し、その中に多数の紐状接触材を組付け接触材装置を完成させる。
（Ｂ）接触材装置を吊下げる大型のフロートを製作し、接触材装置と共に水上に設置する。
（Ｃ）設置後フロートが移動しないように繋留アンカーを設け、そこから繋留ロープにて固定する。
なおその繋留アンカーは台風時の強風・波による大きな応力に耐えるよう、大きなものが必要となる。
さらに繋留ロープは維持管理作業のための船の走行障害となる。
（Ｄ）水位の変動に合わせて繋留ロープの長さを自動的に調整するためのロープ弛み防止装置及びロープ巻上げ装置等を設ける。
場合によっては動力源の電気工事も施工する。
（Ｅ）接触材装置及び繋留アンカーを据付けるためクレーン車及び据付用作業船等が必要となり、さらにそれらの移送と設置作業。
以上のようなことから、従来の紐状接触材設備による浄化装置建設コストは大きなものであった。
【０００４】
【課題を解決するための手段】
上記問題を解決するために、以下のような水底固定型接触材装置を発明したものである。
接触材装置は多量の紐状接触材を設置する必要があるため、特殊な材料や製作に手間が掛かる材料を使用しない構造とした。
【０００５】
接触材装置の据付作業時、クレーン車・据付用作業船及びこれらの運送等の機材が不必要となるよう、水底固定型接触材装置は接触材１本ずつ分かれている構造とし、各装置の重量が小さくなり水上から人手により簡単に据付が可能となるようにする。
【０００６】
水底固定型接触材装置は、風・波の影響を受けないよう、水上に露出するものがないよう水深より短い装置とする。
【０００７】
水底の生態系の環境に害を及ぼさないよう水底の掘削等を行わない施工方法とする。またもしもの場合を考え撤去も容易であるようにする。
【０００８】
【発明の実施の形態】
１本の紐状接触材（４、６）に錘とフロートを接続し接触材装置とする。（【図１】参照）。錘としては砂利（３）を入れた樹脂製袋状ネット（２）を、もう一方の端にはフロートとして発砲樹脂製の浮体（１）を入れた樹脂製袋状ネット（２）を使用する。
フロートは接触材を垂直に自立させる役割を果たすが、錘を持ち上げない容量とする。
ゴルフ場・公園の修景池あるいは小規模な灌漑用池等に、この紐状接触材装置を池の形状・水量・水深に合わせて適当な本数（例として数百本〜数千本）水底に設置する。
ある期間経過した後、紐状接触材装置に小水生物が付着・増殖し池の水に含まれる有機汚濁物を捕食分解することにより、汚濁物が減少し水質が改善される。
【０００９】
【発明の効果】
この装置は、紐状接触材（４、６）の両端に樹脂製袋状ネット（２）を接続した物であるため、従来の装置に比べ以下の改善効果がある。
（Ａ）枠等の構造物が不要であり、且つ特殊な部品を使用していないためコスト低減になる。
（Ｂ）製作するに当り、加工部分が少ないため時間が掛からずコスト低減になる。
（Ｃ）全体が水質浄化に寄与する接触材として有能な部材（砂利（３）・浮体（１）は充填型接触材と同じ形状であり、樹脂製袋状ネット（２）は網状接触材に類似しているため紐状接触材と同じ機能を有する）で構成されているため、無駄の少ない効率の良い浄化装置となる。
【００１０】
この装置は、水域の底（７）に１本ずつ置くだけで据付が出来るため、次のようなコスト低減が可能となる。
（Ａ）水上から人手により投げ入れることで据付が可能となるため、重機・クレーン付作業船・これらの移送等の作業が不要となる。
（Ｂ）装置を水中に据付けるに当り、装置の基礎・架台等が不要となる。
（Ｃ）水中作業が不要であることから潜水夫等の危険作業が不要となる。
（Ｄ）接触材装置設置後、設置位置の変更や数量の増減等が容易に行える。
（Ｅ）強風・波の影響を受けないため、繋留ロープ、繋留アンカー、水位変動のための繋留ロープ長調整装置、ロープ弛み防止装置・ロープ巻上げ装置等の接触材装置を固定する装置が不要となる。
（Ｆ）何らかの要因で池の水位が異常に低下し、接触材装置が水面に露出する事態になっても、性能低下・破損等の問題が無いため、その対策が不要となる。
【００１１】
この装置は、浄化対象水域内に直接浄化装置を設置するため、設備のための場所を必要としない。
また、据付作業時も仮組み場所が必要ないためコスト低減になる。
【００１２】
水底の基礎工事等が無いことから、水域の環境に害を及ぼさないで浄化装置の設置が出来る。
【図面の簡単な説明】
【図１】紐状接触材装置  一本の構造図である。
【符号の説明】
１、  浮体
２、  樹脂製袋状ネット
３、  砂利（錘）
４、  紐状接触材芯体
５、  結束材
６、  紐状接触材ループ糸
７、  水底
８、  水面
【図１】
2004243295.tif 000002